(57)【要約】【課題】蒸気排出装置において、収納部へ炊飯器、湯沸かし器等の蒸気発生を伴う器具が収納されて使用されているとき、蒸気排出ファンの動作状態が使用者に視覚的に伝わるようにインジケータを設け、現在、蒸気排出口から高温蒸気が排出されていることを察知できるようにインジケータで表示して、蒸気排出口から排出される高温蒸気によって火傷等に遭わないように安全性の向上を図る。【解決手段】炊飯器、湯沸かし器等の蒸気発生を伴う器具から発生する蒸気量を検出する蒸気量検出部と、蒸気排出ファンの運転中を表示するＬＥＤを備えたインジケータと、蒸気量検出部によって検出した蒸気の量に応じて前記蒸気排出ファンの回転数を制御する制御部を設け、蒸気量検出部にて検出した蒸気量が所定値以上または所定値を超えているときはインジケータのＬＥＤを第１発光状態とし、蒸気量検出部にて検出した蒸気量が所定値未満または所定値以下のときはインジケータのＬＥＤを第２発光状態とするよう制御部で制御すること。【選択図】図２
2009030850.tif 000002
【特許請求の範囲】
【請求項１】
炊飯器、湯沸かし器等の蒸気発生を伴う器具が収納設置される収納部と、前記蒸気発生
を伴う器具から発生する蒸気を前記収納部に開口した蒸気吸い込み口から吸い込んで蒸気
排出口から前記収納部外へ排出する蒸気排出ファンと、前記蒸気発生を伴う器具から発生
する蒸気量を検出する蒸気量検出部と、前記蒸気排出ファンの運転中を表示するＬＥＤを
備えたインジケータと、前記蒸気量検出部によって検出した蒸気の量に応じて前記蒸気排
出ファンの回転数を制御する制御部を設け、前記蒸気量検出部にて検出した蒸気量が所定
値以上または所定値を超えているときは前記インジケータのＬＥＤを第１発光状態とし、
前記蒸気量検出部にて検出した蒸気量が所定値未満または所定値以下のときは前記インジ
ケータのＬＥＤを第２発光状態とするよう制御部で制御することを特徴とする蒸気排出装
置。
【請求項２】
前記第１発光状態では前記ＬＥＤを連続発光状態とし、前記第２発光状態では前記ＬＥ
Ｄを点滅状態とすることを特徴とする請求項１に記載の蒸気排出装置。
【請求項３】
炊飯器、湯沸かし器等の蒸気発生を伴う器具が収納設置される収納部と、前記蒸気発生
を伴う器具から発生する蒸気を前記収納部に開口した蒸気吸い込み口から吸い込んで蒸気
排出口から前記収納部外へ排出する蒸気排出ファンと、前記蒸気発生を伴う器具から発生
する蒸気量を検出する蒸気量検出部と、前記蒸気排出ファンの運転中を表示するＬＥＤを
備えたインジケータと、前記蒸気量検出部によって検出した蒸気の量に応じて前記蒸気排
出ファンの回転数を制御する制御部を設け、前記蒸気量検出部にて検出した蒸気量に応じ
て制御部によって前記インジケータのＬＥＤの輝度を段階的に可変することを特徴とする
蒸気排出装置。
【請求項４】
炊飯器、湯沸かし器等の蒸気発生を伴う器具が収納設置される収納部と、前記蒸気発生
を伴う器具から発生する蒸気を前記収納部に開口した蒸気吸い込み口から吸い込んで蒸気
排出口から前記収納部外へ排出する蒸気排出ファンと、前記蒸気発生を伴う器具から発生
する蒸気量を検出する蒸気量検出部と、前記蒸気排出ファンの運転中を表示する発光色の
異なる複数のＬＥＤを備えたインジケータと、前記蒸気量検出部によって検出した蒸気の
量に応じて前記蒸気排出ファンの回転数を制御する制御部を設け、前記蒸気量検出部にて
検出した蒸気量に応じて前記インジケータの発光色を変えるよう制御部によって前記複数
のＬＥＤのうち選択された発光色のＬＥＤで発光を行うことを特徴とする蒸気排出装置。
【請求項５】
前記蒸気量検出部が前記蒸気発生を伴う器具の電力を検出する電力検出部であり、この
電力検出部にて検出した電力量を以って前記蒸気の量として制御することを特徴とする請
求項１乃至請求項４のいずれかに記載の蒸気排出装置。
【請求項６】
前記蒸気発生を伴う器具として炊飯器と湯沸かし器が前記蒸気排出装置に設けた電源コ
ンセントに接続された状態で、前記電力検出部の検出に基づく電力が家屋に設置したブレ
ーカが遮断動作するときの電力以上またはそれを超えるとき、前記炊飯器の電力供給ライ
ンは残して前記湯沸かし器の電力供給ラインを遮断するように制御動作されることを特徴
とする請求項５に記載の蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
騒音を低く電気消費量を少なくする目的で、収納部の天井部に配置した蒸気排出ファンに
よって、調理器具から発生する蒸気を吸い込んで前面の蒸気排出口から排出するものがあ
り、蒸気排出口に設けた温度検知器の信号により、調理器具から発生する蒸気が多く排出
温度が高いときは蒸気排出ファンの回転数を高くし、蒸気が少なく排出温度が低いときは
蒸気排出ファンの回転数を低くする。また、経済的収納庫を提供する目的で、調理終了後
、温度検知器の信号により室温が高いときは短く、室温が低いときは長く蒸気排出ファン
を運転するものがある。
【特許文献１】特許第３１１８９１４号公報
【発明の開示】
【発明が解決しようとする課題】
【０００３】
この特許では、前面の蒸気排出口から排出される蒸気の温度によって、蒸気排出ファン
の回転数を高くまた低くする制御を行うが、この蒸気排出ファンの動作状態が使用者には
明確に伝わらず、使用者には高温蒸気状態であることが視覚的に伝わらないため、蒸気排
出口から排出される高温蒸気によって火傷等に遭う危険が懸念される。
【０００４】
本発明はこのような点に鑑み、収納部へ炊飯器、湯沸かし器等の蒸気発生を伴う器具が
収納されて使用されているとき、蒸気排出ファンの動作状態が使用者に視覚的に伝わるよ
うにインジケータを設け、現在、蒸気排出口から高温蒸気が排出されていることを察知で
きるようにインジケータで表示して、蒸気排出口から排出される高温蒸気によって火傷等
に遭わないように安全性の向上を図るものである。
【０００５】
また本発明は、収納部へ収納されている蒸気発生を伴う器具の状態（例えば、蒸気の温
度等）によって前記インジケータの表示を変えるようにして、使用者が器具の状態を認識
できることにより安全性の向上を図ると共に、蒸気排出装置の前面のデザイン効果のアッ
プを図るものである。
【課題を解決するための手段】
【０００６】
第１発明は、炊飯器、湯沸かし器等の蒸気発生を伴う器具が収納設置される収納部と、
前記蒸気発生を伴う器具から発生する蒸気を前記収納部に開口した蒸気吸い込み口から吸
い込んで蒸気排出口から前記収納部外へ排出する蒸気排出ファンと、前記蒸気発生を伴う
器具から発生する蒸気量を検出する蒸気量検出部と、前記蒸気排出ファンの運転中を表示
するＬＥＤを備えたインジケータと、前記蒸気量検出部によって検出した蒸気の量に応じ
て前記蒸気排出ファンの回転数を制御する制御部を設け、前記蒸気量検出部にて検出した
蒸気量が所定値以上または所定値を超えているときは前記インジケータのＬＥＤを第１発
光状態とし、前記蒸気量検出部にて検出した蒸気量が所定値未満または所定値以下のとき
は前記インジケータのＬＥＤを第２発光状態とするように制御部で制御することを特徴と
する。
【０００７】
第２発明は、第１発明において、前記第１発光状態では前記ＬＥＤを連続発光状態とし
、前記第２発光状態では前記ＬＥＤを点滅状態とすることを特徴とする。
【０００８】
第３発明は、炊飯器、湯沸かし器等の蒸気発生を伴う器具が収納設置される収納部と、
前記蒸気発生を伴う器具から発生する蒸気を前記収納部に開口した蒸気吸い込み口から吸
い込んで蒸気排出口から前記収納部外へ排出する蒸気排出ファンと、前記蒸気発生を伴う
器具から発生する蒸気量を検出する蒸気量検出部と、前記蒸気排出ファンの運転中を表示
するＬＥＤを備えたインジケータと、前記蒸気量検出部によって検出した蒸気の量に応じ
て前記蒸気排出ファンの回転数を制御する制御部を設け、前記蒸気量検出部にて検出した
蒸気量に応じて制御部によって前記インジケータのＬＥＤの輝度を段階的に可変すること
を特徴とする。
【０００９】
第４発明は、炊飯器、湯沸かし器等の蒸気発生を伴う器具が収納設置される収納部と、
前記蒸気発生を伴う器具から発生する蒸気を前記収納部に開口した蒸気吸い込み口から吸
い込んで蒸気排出口から前記収納部外へ排出する蒸気排出ファンと、前記蒸気発生を伴う
器具から発生する蒸気量を検出する蒸気量検出部と、前記蒸気排出ファンの運転中を表示
する発光色の異なる複数のＬＥＤを備えたインジケータと、前記蒸気量検出部によって検
出した蒸気の量に応じて前記蒸気排出ファンの回転数を制御する制御部を設け、前記蒸気
量検出部にて検出した蒸気量に応じて前記インジケータの発光色を変えるように制御部に
よって前記複数のＬＥＤのうち選択された発光色のＬＥＤで発光を行うことを特徴とする
。
【００１０】
第５発明は、第１発明乃至第４発明のいずれかにおいて、前記蒸気量検出部が前記蒸気
発生を伴う器具の電力を検出する電力検出部であり、この電力検出部にて検出した電力量
を以って前記蒸気の量とした制御を行うことを特徴とする。
【００１１】
第６発明は、第５発明において、前記蒸気発生を伴う器具として炊飯器と湯沸かし器が
前記蒸気排出装置に設けた電源コンセントに接続された状態で、前記電力検出部の検出に
基づく電力が家屋に設置したブレーカが遮断動作するときの電力以上またはそれを超える
とき、前記炊飯器の電力供給ラインは残して前記湯沸かし器の電力供給ラインを遮断する
ように制御動作されることを特徴とする請求項５に記載の蒸気排出装置。
【発明の効果】
【００１２】
第１発明及び第２発明によって、蒸気量検出部にて検出した蒸気量が多い場合は、蒸気
排出ファンの回転数を高い状態としてこの多く発生する蒸気の排出を促進すると共に、多
くの蒸気が発生していることをＬＥＤの第１発光状態（例えば、連続発光状態）によって
使用者に報知することにより、蒸気排出口から高温の蒸気が多く排出されていることを使
用者が察知できるため、高温蒸気による火傷等から使用者を保護できるものとなる。
【００１３】
第３発明によって、蒸気量検出部にて検出した蒸気量が少ない場合は、ＬＥＤの輝度を
低くすると共に蒸気排出ファンの回転数を低い状態として経済運転を図り、蒸気量検出部
にて検出した蒸気量が多い場合は、蒸気排出ファンの回転数を高い状態としてこの多く発
生する蒸気の排出を促進すると共に、ＬＥＤの輝度を高くして（明るくして）使用者に報
知することにより、蒸気排出口から高温の蒸気が多く排出されていることを使用者が察知
できるようにして、高温蒸気による火傷等から使用者を保護するものとなる。
【００１４】
第４発明によって、蒸気量検出部にて検出した蒸気量が多い場合と少ない場合では、Ｌ
ＥＤの発光色が異なるため、例えば、蒸気量が多い場合は赤色発光とし、蒸気量が少ない
場合は黄色発光とし、実質蒸気が出なくなったときは青色発光とすることによって、蒸気
量検出部にて検出した蒸気量が多い場合は、蒸気排出ファンの回転数を高い状態としてこ
の多く発生する蒸気の排出を促進すると共に、特定発光色状態とすることによって、蒸気
排出口から高温の蒸気が多く排出されていることを使用者が察知できるため、高温蒸気に
よる火傷等から使用者を保護できるものとなる。
【００１５】
第５発明では、蒸気量検出を排出される蒸気の温度や湿度によって行うのではなく、蒸
気発生を伴う器具の電力を検出する電力検出部の電力量を以って蒸気の量とした制御を行
う方式であるため、蒸気発生を伴う器具が炊飯器（または湯沸し器）である場合は、蒸気
発生量が多い炊き上げ状態（湯沸し器では沸き上げ状態）では電力量が大きく、蒸気発生
量が少なくなる保温状態に切り替わったときは電力量が減少するため、そのときの電力量
によって蒸気発生量を把握できるものとなる。このため、電力量検知として電流検知器を
採用すれば、炊き上げ状態（湯沸し器では沸き上げ状態）か保温状態かの検知を正確にで
きるものとなり、判定制御もし易くなる。
【００１６】
第６発明では、上記の効果に加えて、炊飯器と湯沸かし器が前記蒸気排出装置に設けた
電源コンセントに接続された状態で、何らかの原因でブレーカが遮断する状態になったと
き、速やかに湯沸かし器への電力ラインを遮断するため、ブレーカが遮断することなく炊
飯器での炊き上げが継続でき、炊き上げ不良となるのを防止できる。
【発明を実施するための最良の形態】
【００１７】
本発明は、炊飯器、湯沸かし器等の蒸気発生を伴う器具が収納設置される収納部と、前
記蒸気発生を伴う器具から発生する蒸気を前記収納部に開口した蒸気吸い込み口から吸い
込んで蒸気排出口から前記収納部外へ排出する蒸気排出ファンと、前記蒸気発生を伴う器
具から発生する蒸気量を検出する蒸気量検出部と、前記蒸気排出ファンの運転中を表示す
るＬＥＤを備えたインジケータと、前記蒸気量検出部によって検出した蒸気の量に応じて
前記蒸気排出ファンの回転数を制御する制御部を設け、前記蒸気量検出部にて検出した蒸
気量が所定値以上または所定値を超えているときは前記インジケータのＬＥＤを第１発光
状態とし、前記蒸気量検出部にて検出した蒸気量が所定値未満または所定値以下のときは
前記インジケータのＬＥＤを第２発光状態とするように制御部で制御するものであり、本
発明の実施例を以下に記載する。
【実施例１】
【００１８】
本発明の実施形態について説明する。図１は本発明に係る蒸気排出装置の正面図、図２
は本発明に係る蒸気排出装置の制御回路図、図３は本発明に係る蒸気排出装置の自動（標
準）モードの動作経路図、図４は本発明に係る蒸気排出装置の自動（長時間）モードの動
作経路図、図５は本発明に係る蒸気排出装置の手動モードの動作経路図、図６は本発明に
係る蒸気排出装置の優先動作モードの動作経路図である。
【００１９】
これらの図において、１は本発明の蒸気排出装置を示しており、蒸気排出装置１の機体
２は、前面開口の収納部（収納室）３を備え、収納部（収納室）３の上方前部には化粧パ
ネル４が設けられ、収納部（収納室）３の壁（図では天井壁面）５に通気性カバーで覆わ
れた蒸気吸い込み口６が設けられ、化粧パネル４の前面に開口した蒸気排出口７を備え、
収納部（収納室）３の天井壁には蒸気吸い込み口６から蒸気排出口７に連通した排気通路
８が形成され、排気通路８に蒸気排出ファン９が設けられている。また収納部（収納室）
３の壁（図では背壁面）には、炊飯器や湯沸かし器等の蒸気発生を伴う器具１１の電源用
として電源コンセント１０が取り付けられている。実施例では、蒸気発生を伴う器具１１
として炊飯器１１Ａと湯沸かし器１１Ｂを示しており、そのため、電源コンセント１０は
、左右に炊飯器１１Ａ用の差し込み口１０Ａと、湯沸かし器１１Ｂ用の差し込み口１０Ｂ
を有する二口用の電源コンセント１０を採用している。
【００２０】
化粧パネル４内にはマイクロコンピュータ式の制御部１２が収納され、化粧パネル４の
前面には操作パネル１３があり、操作パネル１３には、蒸気排出装置１の電源の入／切（
ＯＮ／ＯＦＦ）スイッチ部１４と、動作モード選択スイッチ部１５と、自動標準モードの
表示部１６と、自動長時間モードの表示部１７と、手動モードの表示部１８と、優先動作
モードの表示部１９と、これらの下方に横長のインジケータ２０が設けられている。各表
示部１６、１７、１８、１９はそれぞれ１個のＬＥＤの点灯で表示される構成であり、イ
ンジケータ２０は、複数のＬＥＤが直線状に横一列に配置された構成である。これらのス
イッチ部１４、１５、及び各表示部１６、１７、１８、１９、及びインジケータ２０は、
それぞれ制御部１２に電気的に接続され、蒸気排出ファン９も制御部１２に電気的に接続
されている。二口用の電源コンセント１０は、差し込み口１０Ａが炊飯器１１Ａ用であり
、差し込み口１０Ｂが湯沸かし器１１Ｂ用として、ラベル表示されている。
【００２１】
図２において、２１は電力会社から家屋へ供給される家屋用電源であり、２２は家屋に
設けられたブレーカである。２３は制御部１２によって通電が制御されるリレーである。
２４は電源コンセント１０に接続された蒸気発生を伴う器具１１の電力を検出する電力検
出部として動作する電流検知器であり、電源コンセント１０を通して蒸気発生を伴う器具
１１を流れる電流を検知する。この電流検知器２４は蒸気発生を伴う器具１１の電流が１
次側コイル２４Ａを流れ、この電流によって２次側コイル２４Ｂに生じる電流または電圧
が制御部１２に入力されて、制御部１２が動作する。蒸気排出装置１への電源供給は、電
源プラグ２５Ｂをコンセント２５Ａに差し込むことにより得られる。
【００２２】
このような構成において、動作を説明する。電源プラグ２５Ｂをコンセント２５Ａに差
し込んだ状態で、蒸気排出装置１に電源が供給された状態となり、電源コンセント１０へ
電力が供給された状態である。この状態が図３のＳ１の状態であり、表示部１６、１７、
１８、１９のそれぞれのＬＥＤは消灯状態であり、インジケータ２０のＬＥＤも消灯状態
であり、リレー２３のコイル２３Ａに通電されてその接点２３Ｂが閉じている。蒸気排出
ファン９は停止（ＯＦＦ）している。また、電流検知器２４の２次側コイル２４Ｂに生じ
る電流（または電圧）が制御部１２に入力されて、電源コンセント１０の電力を検出して
いる。
【００２３】
この状態で、先ず、自動標準モードを図３に基づき説明する。電源コンセント１０の差
し込み口１０Ａへ炊飯器１１Ａの電源プラグを差し込むか、差し込み口１０Ｂへ湯沸かし
器１１Ｂの電源プラグを差し込み、またはその両方を差し込む。ここでは両方を差し込み
、それらのスタートスイッチがＯＮされた状態で説明する。電源の入／切（ＯＮ／ＯＦＦ
）スイッチ部１４を押す操作によって、そのスイッチがＯＮしてその信号が制御部１２へ
入力され、自動標準モードの表示部１６のＬＥＤが点灯する。この状態が図３のＳ２の状
態（スタンバイ状態）である。蒸気排出ファン９は停止（ＯＦＦ）している。この状態で
、制御部１２は電流検知器２４の検出する電流（または電圧）に基づき算出した電源コン
セント１０の電力が、所定ワット値（実施例では２００Ｗ）以上か否かの判定を行う。ま
た、インジケータ２０のＬＥＤは消灯状態である。
【００２４】
この所定ワット値（実施例では２００Ｗ）の判定は、電源コンセント１０に接続された
蒸気発生を伴う器具１１が蒸気発生量の多い状態か否か、即ち、炊飯器１１Ａの場合は消
費電力が所定ワット値（実施例では２００Ｗ）以上の炊き上げ中か、炊き上げが終了して
消費電力が所定ワット値（実施例では２００Ｗ）未満の蒸らし中または保温中かの判定で
あり、また、電源コンセント１０に接続された蒸気発生を伴う器具１１が湯沸かし器１１
Ｂの場合は、消費電力が所定ワット値（実施例では２００Ｗ）以上の沸き上げ中か、沸き
上げが終了して消費電力が所定ワット値（実施例では２００Ｗ）未満の保温中かの判定で
ある。
【００２５】
上記の判定によって、所定ワット値（実施例では２００Ｗ）未満の状態が所定時間Ｔ１
（実施例では１０秒）継続したときは、後述の自動標準アフター運転（図３のＳ４の状態
）に移行するが、この判定によって、所定ワット値（実施例では２００Ｗ）以上の状態が
前記Ｔ１より長い所定時間Ｔ２（実施例では３０秒）継続したときは、自動標準運転が開
始する。この状態が図３のＳ３の状態であり、自動標準モードの表示部１６のＬＥＤが点
灯状態であり、蒸気排出ファン９が始動して高速回転の運転状態となる。
【００２６】
この自動標準運転の継続中、制御部１２は電源コンセント１０の電力が所定ワット値（
実施例では２００Ｗ）以上か否かの判定を行っており、所定ワット値（実施例では２００
Ｗ）未満の状態が所定時間Ｔ１（実施例では１０秒）継続したときは、後述の自動標準ア
フター運転（図３のＳ４の状態）に移行する。即ち、湯沸かし器１１Ｂは、沸き上げ中は
消費電力が所定ワット値（実施例では２００Ｗ）以上であるが、沸き上げが終了して保温
状態となれば消費電力が所定ワット値（実施例では２００Ｗ）未満となる。このとき炊飯
器１１Ａが炊き上げ中であれば、消費電力が所定ワット値（実施例では２００Ｗ）以上で
あるため、制御部１２は電源コンセント１０の電力が所定ワット値（実施例では２００Ｗ
）以上と判定して、蒸気排出ファン９の高速運転状態を継続して、発生する蒸気を積極的
に排出する。炊飯器１１Ａの炊き上げ終了よりも湯沸かし器１１Ｂの沸き上げの終了（沸
騰して保温状態に切り替わること）が遅い場合も同様である。
【００２７】
湯沸かし器１１Ｂの沸き上げが終了し、且つ炊飯器１１Ａの炊き上げも終了したことに
より、電源コンセント１０の電力が所定ワット値（実施例では２００Ｗ）未満の状態とな
るため、これが電流検知器２４で検出されて制御部１２に入力され、制御部１２による判
定によって、所定ワット値（実施例では２００Ｗ）未満の状態が所定時間Ｔ１（実施例で
は１０秒）継続したときは、自動標準アフター運転（図３のＳ４の状態）に移行する。こ
の自動標準アフター運転は、上記の自動標準運転によって生じた蒸気及び残余の蒸気によ
って結露が生じるのを防止するために行うものであり、制御部１２のタイマ部がアフター
運転時間Ｔ３（実施例では２０分）に設定され、蒸気排出ファン９が低速回転の運転状態
に切り替わり、このアフター運転時間中蒸気排出ファン９が低速回転の運転状態を継続す
る。このアフター運転時間終了にて蒸気排出ファン９の運転を停止する。電源コンセント
１０には電力が供給されたままであり、図３のＳ２の状態に戻る。
【００２８】
上記の制御において、制御部１２は電力検出部として動作する電流検知器２４の検出す
る電流（または電圧）によって、電源コンセント１０の電力が所定ワット値（実施例では
２００Ｗ）以上か否かの判定を行うが、電源コンセント１０の電力が所定ワット値（実施
例では２００Ｗ）以上ということは、蒸気発生を伴う器具１１が蒸気発生量の多い状態で
あり、電源コンセント１０の電力が所定ワット値（実施例では２００Ｗ）未満ということ
は、蒸気発生を伴う器具１１が蒸気発生量の少ない状態であるため、蒸気量が所定値以上
または所定値を超えているか否かの状態を、電流検知器２４が検出する電流（または電圧
）に基づき制御部１２が判定しているといってもよい。このため、電流検知器２４は、蒸
気量検出部２４であるということができ、蒸気量検出部２４で検出する蒸気量が所定値以
上または所定値を超えているかの判定を制御部１２が行っているということができる。
【００２９】
このような制御において、Ｓ１及びＳ２の状態ではインジケータ２０のＬＥＤは消灯状
態であるが、自動標準運転中である図３のＳ３の状態と自動標準アフター運転中である図
３のＳ４の状態では、蒸気排出ファン９が運転状態であるため、それをインジケータ２０
のＬＥＤの点灯によって報知している。そして、自動標準運転中である図３のＳ３の状態
では発生蒸気量が多くて危険であるため、これを報知するために、自動標準運転中である
図３のＳ３の状態と自動標準アフター運転中である図３のＳ４の状態では、インジケータ
２０のＬＥＤによる表示状態が異なるようにしている。その一つとして、蒸気量検出部２
４である電流検知器２４にて検出した蒸気量が所定値以上または所定値を超えているとき
、即ち蒸気発生量が多い状態では、インジケータ２０のＬＥＤを第１発光状態（例えば連
続発光状態）とし、蒸気量検出部２４である電流検知器２４にて検出した蒸気量が所定値
未満または所定値以下のとき、即ち蒸気発生量が少ない状態では、インジケータ２０のＬ
ＥＤを第２発光状態（例えば１秒間隔での点滅状態か、更に長い時間間隔での緩やかな点
滅状態）とするように制御部１２で制御する。
【００３０】
また他の方式として、蒸気量検出部２４である電流検知器２４にて検出した蒸気量に応
じて、インジケータ２０のＬＥＤの輝度を段階的に可変する（上記では蒸気発生量が多い
状態と少ない状態の２段階で可変するが、多段階での可変でもよい）方式とするか、更に
、蒸気量検出部２４である電流検知器２４にて検出した蒸気量に応じてインジケータ２０
の発光色を変える（上記では蒸気発生量が多い状態と少ない状態の２段階で可変するが、
多段階での可変でもよい）ように、インジケータ２０の複数のＬＥＤのうち選択された発
光色のＬＥＤで発光を行うように制御部１２によって制御する方式とすることができる。
【００３１】
上記の場合は、電源コンセント１０の差し込み口１０Ａへ炊飯器１１Ａの電源プラグを
差し込み、且つ差し込み口１０Ｂへ湯沸かし器１１Ｂの電源プラグを差し込んだ状態であ
るが、炊飯器１１Ａのみの使用のために、差し込み口１０Ａへ炊飯器１１Ａの電源プラグ
を差し込んだ状態、または湯沸かし器１１Ｂのみの使用のために、差し込み口１０Ｂへ湯
沸かし器１１Ｂの電源プラグを差し込んだ状態においても、同様の制御が達成される。
【００３２】
次に、自動長時間モードを図４に基づき説明する。電源プラグ２５Ｂをコンセント２５
Ａに差し込んだ状態、即ち図３のＳ１の状態において、電源コンセント１０の差し込み口
１０Ａへ炊飯器１１Ａの電源プラグを差し込むか、差し込み口１０Ｂへ湯沸かし器１１Ｂ
の電源プラグを差し込み、またはその両方を差し込む。ここでは両方を差し込み、それら
のスタートスイッチがＯＮされた状態で説明する。電源の入／切（ＯＮ／ＯＦＦ）スイッ
チ部１４を押す操作によって、そのスイッチがＯＮしてその信号が制御部１２へ入力され
、次に、動作モード選択スイッチ部１５を押す操作によって、自動長時間モードの表示部
１７のＬＥＤが点灯する状態を選択する。この状態が図４のＳ２の状態（スタンバイ状態
）である。蒸気排出ファン９は停止（ＯＦＦ）している。この状態で、制御部１２は電流
検知器２４の検出する電流（または電圧）に基づき算出した電源コンセント１０の電力が
、所定ワット値（実施例では２００Ｗ）以上か否かの判定を行う。また、インジケータ２
０のＬＥＤは消灯状態である。
【００３３】
この所定ワット値（実施例では２００Ｗ）の判定は、電源コンセント１０に接続された
蒸気発生を伴う器具１１が蒸気発生量の多い状態か否か、即ち、炊飯器１１Ａの場合は消
費電力が所定ワット値（実施例では２００Ｗ）以上の炊き上げ中か、炊き上げが終了して
消費電力が所定ワット値（実施例では２００Ｗ）未満の蒸らし中または保温中かの判定で
あり、また、電源コンセント１０に接続された蒸気発生を伴う器具１１が湯沸かし器１１
Ｂの場合は、消費電力が所定ワット値（実施例では２００Ｗ）以上の沸き上げ中か、沸き
上げが終了して消費電力が所定ワット値（実施例では２００Ｗ）未満の保温中かの判定で
ある。
【００３４】
上記の判定によって、所定ワット値（実施例では２００Ｗ）未満の状態が所定時間Ｔ１
（実施例では１０秒）継続したときは、後述の自動長時間アフター運転（図４のＳ４の状
態）に移行するが、この判定によって、所定ワット値（実施例では２００Ｗ）以上の状態
が前記Ｔ１より長い所定時間Ｔ２（実施例では３０秒）継続したときは、自動長時間運転
が開始する。この状態が図４のＳ３の状態であり、自動長時間モードの表示部１７のＬＥ
Ｄが点灯状態であり、蒸気排出ファン９が始動して高速回転の運転状態となる。
【００３５】
この自動長時間運転の継続中、制御部１２は電源コンセント１０の電力が所定ワット値
（実施例では２００Ｗ）以上か否かの判定を行っており、所定ワット値（実施例では２０
０Ｗ）未満の状態が所定時間Ｔ１（実施例では１０秒）継続したときは、後述の自動長時
間アフター運転（図４のＳ４の状態）に移行する。即ち、湯沸かし器１１Ｂは、沸き上げ
中は消費電力が所定ワット値（実施例では２００Ｗ）以上であるが、沸き上げが終了して
保温状態となれば消費電力が所定ワット値（実施例では２００Ｗ）未満となる。このとき
炊飯器１１Ａが炊き上げ中であれば、消費電力が所定ワット値（実施例では２００Ｗ）以
上であるため、制御部１２は電源コンセント１０の電力が所定ワット値（実施例では２０
０Ｗ）以上と判定して、蒸気排出ファン９の高速運転状態を継続して、発生する蒸気を積
極的に排出する。炊飯器１１Ａの炊き上げ終了よりも湯沸かし器１１Ｂの沸き上げの終了
（沸騰して保温状態に切り替わること）が遅い場合も同様である。
【００３６】
湯沸かし器１１Ｂの沸き上げが終了し、且つ炊飯器１１Ａの炊き上げも終了したことに
より、電源コンセント１０の電力が所定ワット値（実施例では２００Ｗ）未満の状態とな
るため、これが電流検知器２４で検出されて制御部１２に入力され、制御部１２による判
定によって、所定ワット値（実施例では２００Ｗ）未満の状態が所定時間Ｔ１（実施例で
は１０秒）継続したときは、自動長時間アフター運転（図４のＳ４の状態）に移行する。
この自動長時間アフター運転は、上記の自動長時間運転によって生じた蒸気及び残余の蒸
気によって結露が生じるのを十分に防止するために行うものであり、制御部１２のタイマ
部がアフター運転時間Ｔ４（実施例ではＴ３よりも十分長い２時間）に設定され、蒸気排
出ファン９が低速回転の運転状態に切り替わり、このアフター運転時間中蒸気排出ファン
９が低速回転の運転状態を継続する。このアフター運転時間終了にて蒸気排出ファン９の
運転を停止する。電源コンセント１０には電力が供給されたままであり、図４のＳ２の状
態に戻る。
【００３７】
上記の制御において、制御部１２は電力検出部として動作する電流検知器２４の検出す
る電流（または電圧）によって、電源コンセント１０の電力が所定ワット値（実施例では
２００Ｗ）以上か否かの判定を行うが、電源コンセント１０の電力が所定ワット値（実施
例では２００Ｗ）以上ということは、蒸気発生を伴う器具１１が蒸気発生量の多い状態で
あり、電源コンセント１０の電力が所定ワット値（実施例では２００Ｗ）未満ということ
は、蒸気発生を伴う器具１１が蒸気発生量の少ない状態であるため、蒸気量が所定値以上
または所定値を超えているか否かの状態を、電流検知器２４が検出する電流（または電圧
）に基づき制御部１２が判定しているといってもよい。このため、電流検知器２４は、蒸
気量検出部２４であるということができ、蒸気量検出部２４で検出する蒸気量が所定値以
上または所定値を超えているかの判定を制御部１２が行っているということができる。
【００３８】
このような制御において、Ｓ１及びＳ２の状態ではインジケータ２０のＬＥＤは消灯状
態であるが、自動長時間運転中である図４のＳ３の状態と、自動長時間アフター運転中で
ある図４のＳ４の状態では、蒸気排出ファン９が運転状態であるため、それをインジケー
タ２０のＬＥＤの点灯によって報知している。そして、自動長時間運転中である図４のＳ
３の状態では発生蒸気量が多くて危険であるため、これを報知するために、自動長時間運
転中である図４のＳ３の状態と自動長時間アフター運転中である図４のＳ４の状態では、
インジケータ２０のＬＥＤによる表示状態が異なるようにしている。その一つとして、蒸
気量検出部２４である電流検知器２４にて検出した蒸気量が所定値以上または所定値を超
えているとき、即ち蒸気発生量が多い状態では、インジケータ２０のＬＥＤを第１発光状
態（例えば連続発光状態）とし、蒸気量検出部２４である電流検知器２４にて検出した蒸
気量が所定値未満または所定値以下のとき、即ち蒸気発生量が少ない状態では、はインジ
ケータ２０のＬＥＤを第２発光状態（例えば１秒間隔での点滅状態か、更に長い時間間隔
での緩やかな点滅状態）とするように制御部１２で制御する。
【００３９】
また他の方式として、蒸気量検出部２４である電流検知器２４にて検出した蒸気量に応
じて、インジケータ２０のＬＥＤの輝度を段階的に可変する（上記では蒸気発生量が多い
状態と少ない状態の２段階で可変するが、多段階での可変でもよい）方式とするか、更に
、蒸気量検出部２４である電流検知器２４にて検出した蒸気量に応じてインジケータ２０
の発光色を変える（上記では蒸気発生量が多い状態と少ない状態の２段階で可変するが、
多段階での可変でもよい）ように、インジケータ２０の複数のＬＥＤのうち選択された発
光色のＬＥＤで発光を行うように制御部１２によって制御する方式とすることができる。
【００４０】
上記の場合は、電源コンセント１０の差し込み口１０Ａへ炊飯器１１Ａの電源プラグを
差し込み、且つ差し込み口１０Ｂへ湯沸かし器１１Ｂの電源プラグを差し込んだ状態であ
るが、炊飯器１１Ａのみの使用のために、差し込み口１０Ａへ炊飯器１１Ａの電源プラグ
を差し込んだ状態、または湯沸かし器１１Ｂのみの使用のために、差し込み口１０Ｂへ湯
沸かし器１１Ｂの電源プラグを差し込んだ状態においても、同様の制御が達成される。
【００４１】
次に、手動モードを図５に基づき説明する。電源プラグ２５Ｂをコンセント２５Ａに差
し込んだ状態、即ち図３のＳ１の状態において、電源コンセント１０の差し込み口１０Ａ
へ炊飯器１１Ａの電源プラグを差し込むか、差し込み口１０Ｂへ湯沸かし器１１Ｂの電源
プラグを差し込み、またはその両方を差し込む。ここでは両方を差し込み、それらのスタ
ートスイッチがＯＮされた状態で説明する。電源の入／切（ＯＮ／ＯＦＦ）スイッチ部１
４を押す操作によって、そのスイッチがＯＮしてその信号が制御部１２へ入力され、次に
動作モード選択スイッチ部１５を押す操作によって、手動モードの表示部１８のＬＥＤが
点灯する状態を選択する。この状態によって、制御部１２のタイマ部が所定時間（実施例
では３時間）に設定され、この時間中、電源コンセント１０に接続された炊飯器１１Ａや
湯沸かし器１１Ｂ等の蒸気発生を伴う器具１１から発生する蒸気を排出するために、蒸気
排出ファン９を運転すると共に、この運転状態を表示するために、インジケータ２０の複
数のＬＥＤが所定の発光状態となる。この状態が図５の状態である。そして、このタイマ
部に設定された所定時間Ｔ５（実施例では３時間）終了にて、蒸気排出ファン９の運転を
停止し、図３のＳ１の状態に戻り待機する。
【００４２】
次に、優先動作モードを図６に基づき説明する。電源コンセント１０の差し込み口１０
Ａへ炊飯器１１Ａの電源プラグが差し込まれ、差し込み口１０Ｂへ湯沸かし器１１Ｂの電
源プラグが差し込まれ、それらのスタートスイッチがＯＮされた状態において、何らかの
原因により、  電源コンセント１０を流れる電流が増大し、ブレーカ２２を流れる電流が
所定値オーバー状態となってブレーカ２２が遮断動作すれば、炊飯器１１Ａでの炊き上げ
途中に炊き上がらずに所謂ブチ飯となることが懸念される。これを避けるために優先動作
モードを備えている。
【００４３】
この優先動作モードの起動は、電源の入／切（ＯＮ／ＯＦＦ）スイッチ部１４の操作や
、動作モード選択スイッチ部１５の操作には依存せず、動作モードが、自動標準モード、
自動長時間モード、手動モードのいずれにあっても優先動作モードで動作するものである
。このため、自動標準モード、自動長時間モードまたは手動モードのいずれでもよいが、
図６には上記のように動作モード選択スイッチ部１５を押す操作によって、手動モードの
表示部１８のＬＥＤが点灯する状態を選択した、所謂手動モードの選択状態において優先
動作モードで動作する場合を説明する。
【００４４】
図６に示すように、手動モードの選択状態は非優先状態と称することとし、図６のＳ１
０に示すこの非優先状態において、蒸気排出ファン９が運転し、この運転状態を表示する
ためにインジケータ２０の複数のＬＥＤが所定の第１発光状態（例えば連続発光状態）と
なる。この非優先状態は、電源コンセント１０の電力、即ち電源コンセント１０に接続さ
れた炊飯器１１Ａと湯沸かし器１１Ｂの総合電力が所定の上限値（ブレーカ２２が遮断動
作するための最低電流値に相当する単位がワットの電力であり、実施例では１４８０Ｗ）
未満または以下である場合であり、インジケータ２０の表示の一つとして、インジケータ
２０のＬＥＤを第１発光状態（例えば連続発光状態）とする。そして、電源コンセント１
０の電力、即ち電源コンセント１０に接続された炊飯器１１Ａと湯沸かし器１１Ｂの総合
電力が所定の上限値（実施例では１４８０Ｗ）以上または超えたとき、図６のＳ２０に示
すように優先状態へ移行する制御を行う。
【００４５】
即ち、非優先状態において、電流検知器２４にて検出した電流（または電圧）に基づき
算出した電力が電源コンセント１０の電力であり、この電力が所定の上限値（実施例では
１４８０Ｗ）以上の状態を所定時間Ｔ６（この時間はブレーカ２２が遮断するまでの動作
時間よりも若干短い時間であり、実施例では１０秒に設定）継続したことが制御部１２に
よって判定されたとき、優先状態へ移行する動作を行う。この優先状態になると、優先動
作モードの表示部１９のＬＥＤが点灯すると共に、制御部１２によってリレー２３のコイ
ル２３Ａの通電が切れてその接点２３ＢがＯＦＦし（開く）、差し込み口１０Ｂの電力ラ
インをＯＦＦし（開く）て、湯沸かし器１１Ｂへの電力供給を遮断する。これによって、
ブレーカ２２を流れる電流が低下して遮断することが避けられ、電源コンセント１０に接
続された炊飯器１１Ａの電力供給が遮断することがない。また優先状態では、蒸気排出フ
ァン９は運転を継続しており、インジケータ２０の複数のＬＥＤが所定の第２発光状態（
例えば１秒間隔での点滅状態か、更に長い時間間隔での緩やかな点滅状態）となる。
【００４６】
この優先状態において、動作モード選択スイッチ部１５を所定時間Ｔ７（実施例では１
秒間）押し続ける操作によって優先状態が解除され、図６のＳ１０に示す非優先状態へ移
行すると共に優先動作モードの表示部１９のＬＥＤが消灯し、優先動作モードの解除とな
る。制御部１２は、この優先動作モード（優先状態）の解除から所定時間Ｔ８（実施例で
は５秒間）中に、電力が前記所定の上限値（実施例では１４８０Ｗ）以上の状態が所定時
間Ｔ９（実施例では２秒間）継続した場合は、自動的に優先状態に移行するように制御す
る。
【００４７】
上記のように、非優先状態から優先状態への切り替え、及び優先状態から非優先状態へ
の切り替え制御は、自動標準モード（非優先状態）及び自動長時間モード（非優先状態）
においても同様である。なお、動作の安定化のために、優先動作モードでの運転中は、動
作モード選択スイッチ部１５を押す操作によって、各モードの選択はできない。また、優
先動作モードでの運転中は、電源の入／切（ＯＮ／ＯＦＦ）スイッチ部１４の操作は行え
るが、電源の入／切（ＯＮ／ＯＦＦ）スイッチ部１４の操作によって優先動作モードの解
除はできない。
【００４８】
上記では、蒸気量検出部２４である電流検知器２４にて検出した蒸気量が、所定値以上
または所定値を超えているか否かで制御しているが、電流検知器２４に替えて排気通路８
を通る蒸気に接触して電気抵抗が変わる蒸気検出素子や、排気通路８を通る蒸気の温度を
検出する温度検出素子とすることもできる。その場合、優先動作モードでの運転制御はで
きない。
【００４９】
上記実施例では、蒸気発生を伴う器具１１として炊飯器１１Ａと湯沸かし器１１Ｂを示
したが、これに限定されず他の器具であってもよく、そのときは、電源コンセント１０も
その器具に適した差し込み口と電力容量をもつものを採用すればよい。
【産業上の利用可能性】
【００５０】
本発明は、上記実施例に示した構成に限定されず、種々の形態の蒸気排出装置に適用で
きるものであり、本発明の技術範囲において種々の形態を包含するものである。
【図面の簡単な説明】
【００５１】
【図１】本発明に係る蒸気排出装置の正面図である。（実施例１）
【図２】本発明に係る蒸気排出装置の制御回路図である。（実施例１）
【図３】本発明に係る蒸気排出装置の自動（標準）モードの動作経路図である。（実施例１）
【図４】本発明に係る蒸気排出装置の自動（長時間）モードの動作経路図である。（実施例１）
【図５】本発明に係る蒸気排出装置の手動モードの動作経路図である。（実施例１）
【図６】本発明に係る蒸気排出装置の優先動作モードの動作経路図である。（実施例１）
【符号の説明】
【００５２】
１・・・・・蒸気排出装置
２・・・・・蒸気排出装置の機体
３・・・・・収納部（収納室）
４・・・・・化粧パネル
５・・・・・壁（図では天井壁面）
６・・・・・蒸気吸い込み口
７・・・・・蒸気排出口
８・・・・・排気通路
９・・・・・蒸気排出ファン
１０・・・・電源コンセント
１０Ａ・・・炊飯器用の差し込み口
１０Ｂ・・・湯沸かし器用の差し込み口
１１Ａ・・・炊飯器
１１Ｂ・・・湯沸かし器
１２・・・・制御部
１３・・・・操作パネル
１４・・・・電源の入／切（ＯＮ／ＯＦＦ）スイッチ部
１５・・・・動作モード選択スイッチ部
１６・・・・自動標準モードの表示部
１７・・・・自動長時間モードの表示部
１８・・・・手動モードの表示部
１９・・・・優先動作モードの表示部
２０・・・・インジケータ
２１・・・・家屋用電源
２２・・・・ブレーカ
２３・・・・リレー
２３Ａ・・・リレーコイル
２３Ｂ・・・リレー接点
２４・・・・蒸気量検出部（電流検知器、電力検出部）
２４Ａ・・・１次側コイル
２４Ｂ・・・２次側コイル
２５Ａ・・・コンセント
２５Ｂ・・・電源プラグ
【図１】
2009030850.tif 000003
【図２】
2009030850.tif 000004
【図３】
2009030850.tif 000005
【図４】
2009030850.tif 000006
【図５】
2009030850.tif 000007
【図６】
2009030850.tif 000008